(57)【要約】【課題】リム通水路内の残水をリム吐水口から排出させる排出力を高めることができる水洗大便器を提供する。【解決手段】本発明の水洗大便器１は、ボウル部２０のボウル面の大半を形成する胴部内壁部１２と、外観面を形成する外壁部１４と、これらの外壁部と胴部内壁部とを連結する連結部１６と、を備えた胴部４と、ボウル面の一部を形成するリム部内壁部１８を備え、胴部の上端に接合されるリム部６と、ボウル部内に洗浄水を吐水するリム吐水部と、を有し、このリム吐水部は、胴部とリム部との接合により形成されるリム通水路２２及びリム吐水口２６をそれぞれ形成し、リム通水路を形成する胴部内壁部及びリム部内壁部の互いの接合面Ｓ１は、ボウル部の後方側から前方側に向かって低い位置に設定されており、胴部の連結部により形成されるリム通水路の底面Ｓ２は、リム通水路の上流端から下流端に向かって低い位置に設定されている。【選択図】図５
2018080504.tif 000002
【特許請求の範囲】
【請求項１】
洗浄水源から供給される洗浄水によって洗浄されて汚物を排出する水洗大便器であって、
ボウル面の大半を形成する胴部内壁部と、外観面を形成する外壁部と、これらの外壁部と胴部内壁部とを連結する連結部と、を備えた胴部と、
上記ボウル面の一部を形成するリム部内壁部を備え、上記胴部の上端に接合されるリム部と、
上記胴部内壁部と上記リム部内壁部との接合により上記ボウル面を形成するボウル部と、
このボウル部に設けられて上記ボウル部内に洗浄水を吐水するリム吐水部と、を有し、
上記リム吐水部は、上記胴部と上記リム部との接合により形成されて上記洗浄水源から洗浄水が供給されるリム通水路、及びこのリム通水路の下流端であるリム吐水口をそれぞれ形成し、
上記リム通水路を形成する上記胴部内壁部及び上記リム部内壁部の互いの接合面は、上記ボウル部の後方側から前方側に向かって低い位置に設定されており、
上記胴部の連結部により形成される上記リム通水路の底面は、上記リム通水路の上流端から下流端に向かって低い位置に設定されていることを特徴とする水洗大便器。
【請求項２】
上記ボウル部は、このボウル部を前後方向に二等分する左右方向に延びる中心軸線に対して前方側及び後方側にそれぞれ形成される前方側領域及び後方側領域をそれぞれ備えており、
上記リム通水路及び上記リム吐水口は、上記ボウル部の前方側領域の左右いずれかに設けられた上記リム部に形成されており、
上記リム通水路は、その入口部から上記リム部の内部を前方に向かって延びる外側部と、この外側部の下流端から内側に屈曲する屈曲部と、この屈曲部から後方に向かって上記リム吐水口まで延びる内側部と、を備えており、
上記リム通水路の底面は、上記リム通水路の入口部から、上記外側部、上記屈曲部、及び上記内側部を経て、上記リム吐水口に向かって低い位置に設定されている請求項１記載の水洗大便器。
【請求項３】
上記リム通水路は、上記屈曲部で屈曲した後の上記内側部の区間において、その底面が上記ボウル部の内側に向かって下り傾斜している請求項２記載の水洗大便器。
【請求項４】
上記リム通水路に洗浄水を供給する上記洗浄水源は、水道の給水圧力を利用して洗浄水を給水するものである請求項１乃至３の何れか１項に記載の水洗大便器。
【発明の詳細な説明】
【技術分野】
【０００１】
本発明は、水洗大便器に係り、特に、洗浄水源から供給される洗浄水によって洗浄されて汚物を排出する水洗大便器に関する。
【背景技術】
【０００２】
従来から、洗浄水源から供給される洗浄水によって洗浄されて汚物を排出する水洗大便器として、例えば、特許文献１に記載されているように、ボウル面の大部分を形成する胴部内壁部と、ボウル面の一部を形成するリム部内壁部との接着面が前後方向の中央領域から前方領域に向かって上昇しており、胴部とリム部とを接着することによりリム吐水口の上流側にリム通水路が形成される陶器製の水洗大便器が知られている。
また、特許文献２に記載されているように、ボウル部内に洗浄水を吐水する２つのリム吐水口のそれぞれの上流側に形成される通水路のそれぞれについて、その入口部の底面が出口部の底面よりも下方に位置している水洗大便器についても知られている。
【先行技術文献】
【特許文献】
【０００３】
【特許文献１】特開２０１４−３４８６８号公報
【特許文献２】特開２０１５−１６８９９４号公報
【発明の概要】
【発明が解決しようとする課題】
【０００４】
しかしながら、上述した特許文献１、２に記載されている従来の水洗大便器において、リム吐水口からの洗浄水の吐水を終えた後、リム通水路内の残水がリム吐水口から排出されるようになっているが、この残水が切れるまでの時間が比較的長くかかるため、排出中の残水を見た使用者が、漏水しているものと勘違いをする恐れや、排出された残水がボウル面に残ったり、完全に排出しきれなかった残水がリム通水路内に残ったりする恐れがあるという問題がある。
また、近年の水洗大便器のデザインの多様化に伴って、リム吐水口やその上流側のリム通水路が使用者側から見えないようにリム部に対する配置を工夫し、リム吐水口から後方に向けて吐水する形態に設計することにより、便器本体のボウル部の内部やリム部の内周側の見た目のすっきり感を演出させるニーズも高まっている。このようなリム吐水口から後方に向けて吐水する形態においては、リム通水路が、リム部内の限られたスペース内に形成されているため、リム通水路内の洗浄水の流量を確保するために比較的流路長さが長く設定されており、かつ、洗浄水の十分な流速も確保するためにリム吐水口の大きさ（特に、リム吐水口の高さ寸法）が比較的小さく設定されている。
よって、このようなリム吐水口から後方に向けて吐水する吐水形態では、リム通水路内の流量を確保するために流路長さを長く設定する程、残水が切れるまでの時間も長くなるという問題があり、洗浄水の十分な流速を確保するためにリム吐水口の高さ寸法を小さく設定する程、リム通水路の底面を傾斜させる等の残水対策を施すことが難しくなるという問題もある。
したがって、リム通水路内の残水をリム吐水口から排出させる排出力をいかに高めるかが要請された課題となっている。
【０００５】
そこで、本発明は、上述した従来技術の問題や課題を解決するためになされたものであり、リム通水路内の残水をリム吐水口から排出させる排出力を高めることができる水洗大便器を提供することを目的としている。
【課題を解決するための手段】
【０００６】
上述した課題を解決するために、本発明は、洗浄水源から供給される洗浄水によって洗浄されて汚物を排出する水洗大便器であって、ボウル面の大半を形成する胴部内壁部と、外観面を形成する外壁部と、これらの外壁部と胴部内壁部とを連結する連結部と、を備えた胴部と、上記ボウル面の一部を形成するリム部内壁部を備え、上記胴部の上端に接合されるリム部と、上記胴部内壁部と上記リム部内壁部との接合により上記ボウル面を形成するボウル部と、このボウル部に設けられて上記ボウル部内に洗浄水を吐水するリム吐水部と、を有し、上記リム吐水部は、上記胴部と上記リム部との接合により形成されて上記洗浄水源から洗浄水が供給されるリム通水路、及びこのリム通水路の下流端であるリム吐水口をそれぞれ形成し、上記リム通水路を形成する上記胴部内壁部及び上記リム部内壁部の互いの接合面は、上記ボウル部の後方側から前方側に向かって低い位置に設定されており、上記胴部の連結部により形成される上記リム通水路の底面は、上記リム通水路の上流端から下流端に向かって低い位置に設定されていることを特徴としている。
このように構成された本発明においては、リム通水路を形成する胴部内壁部及びリム部内壁部の互いの接合面がボウル部の後方側から前方側に向かって低い位置に設定されていると共に、胴部の連結部により形成されるリム通水路の底面がリム通水路の上流端から下流端に向かって低い位置に設定されているため、リム通水路の上流端から下流端のリム吐水口までの流路に沿ってリム通水路の底面全体を大きく下り傾斜させることができる。
したがって、リム通水路内の残水をリム吐水口から排出させる排出力を高めることができる。
【０００７】
本発明において、好ましくは、上記ボウル部は、このボウル部を前後方向に二等分する左右方向に延びる中心軸線に対して前方側及び後方側にそれぞれ形成される前方側領域及び後方側領域をそれぞれ備えており、上記リム通水路及び上記リム吐水口は、上記ボウル部の前方側領域の左右いずれかに設けられた上記リム部に形成されており、上記リム通水路は、その入口部から上記リム部の内部を前方に向かって延びる外側部と、この外側部の下流端から内側に屈曲する屈曲部と、この屈曲部から後方に向かって上記リム吐水口まで延びる内側部と、を備えており、上記リム通水路の底面は、上記リム通水路の入口部から、上記外側部、上記屈曲部、及び上記内側部を経て、上記リム吐水口に向かって低い位置に設定されている。
このように構成された本発明においては、リム通水路及びリム吐水口がボウル部の前方側領域の左右いずれかに設けられたリム部に形成されており、リム通水路が、その入口部からリム部の内部を前方に向かって延びる外側部と、この外側部の下流端から内側に屈曲する屈曲部と、この屈曲部から後方に向かってリム吐水口まで延びる内側部とを備えていることにより、リム通水路が比較的長くなり易い経路であっても、リム通水路の底面が、リム通水路の入口部から、外側部、屈曲部、及び内側部を経て、リム吐水口に向かって低い位置に設定されているため、リム通水路の入口部からリム吐水口までの流路に沿ってリム通水路の底面全体を大きく下り傾斜させることができる。
したがって、リム通水路内の残水をリム吐水口から確実に排出させることができる。
【０００８】
本発明において、好ましくは、上記リム通水路は、上記屈曲部で屈曲した後の上記内側部の区間において、その底面が上記ボウル部の内側に向かって下り傾斜している。
このように構成された本発明においては、リム通水路における屈曲部で屈曲した後の内側部の区間の底面が、ボウル部の内側に向かって下り傾斜しているため、リム通水路内の残水を傾斜面に沿ってボウル部の内側に差し向けながら、リム吐水口から効率良く且つ確実に排出させることができる。
【０００９】
本発明において、好ましくは、上記リム通水路に洗浄水を供給する上記洗浄水源は、水道の給水圧力を利用して洗浄水を給水するものである。
このように構成された本発明においては、リム通水路に洗浄水を供給する洗浄水源が、水道の給水圧力を利用して洗浄水を給水するものであることにより、リム通水路内の洗浄水の流量が比較的小さく、洗浄水源の給水圧力が影響し易いため、リム通水路内の洗浄水の流速を十分に確保するために、リム吐水口の高さ寸法が比較的小さく設定されることになる。
したがって、リム吐水口における残水の排出力についても高めることができる。
【発明の効果】
【００１０】
本発明の水洗大便器によれば、リム通水路内の残水をリム吐水口から排出させる排出力を高めることができる。
【図面の簡単な説明】
【００１１】
【図１】本発明の一実施形態による水洗大便器の便器本体の中央側面断面図である。
【図２】本発明の一実施形態による水洗大便器の便器本体の平面図である。
【図３】本発明の一実施形態による水洗大便器の便器本体の分解斜視図である。
【図４】図２に示す本発明の一実施形態による水洗大便器の便器本体において、リム部の内部に形成されるリム通水路の部分を拡大した部分拡大平面図である。
【図５】本発明の一実施形態による水洗大便器の便器本体における胴部とリム部との接合面、及び、リム通水路の経路の傾斜について概略的に示す模式図である。
【図６】図２のＶＩ−ＶＩ線に沿った断面図である。
【図７】図２のＶＩＩ−ＶＩＩ線に沿った断面図である。
【図８】図２のＶＩＩＩ−ＶＩＩＩ線に沿った断面図である。
【図９】図２のＩＸ−ＩＸ線に沿った断面図である。
【図１０】図２のＸ−Ｘ線に沿った断面図である。
【図１１】図２のＸＩ−ＸＩ線に沿った断面図である。
【図１２】図２のＸＩＩ−ＸＩＩ線に沿った断面図である。
【発明を実施するための形態】
【００１２】
つぎに、図１〜図１２を参照して、本発明の一実施形態による水洗大便器について説明する。
まず、図１は、本発明の一実施形態による水洗大便器の便器本体の中央側面断面図であり、図２は、本発明の一実施形態による水洗大便器の便器本体の平面図であり、図３は、本発明の一実施形態による水洗大便器の便器本体の分解斜視図である。
図１〜図３に示すように、本発明の第１実施形態による水洗大便器１は、陶器製の便器本体２を備えており、この便器本体２は、胴部４と、この胴部４の上端に接合されるリム部６とからなる。
ここで、図１及び図２に示す本実施形態の水洗大便器１においては、便器本体２の上面に便座及び便蓋が設けられていると共に、その後方側には、使用者の局部を洗浄する衛生洗浄部や便器本体２への給水機能に関与する給水系機能部等の機能部等が設けられているが、これらについては図示せず、説明を省略する。
【００１３】
つぎに、図１〜図３に示すように、便器本体２の胴部４は、その内部にボウル面の半分以上（大半）を形成する胴部内壁部であって、汚物受け面８を形成すると共に、この汚物受け面８の上縁８ａの外側に棚面１０を形成する内壁部１２を備えている。
また、図１及び図３に示すように、胴部４は、その外観面を形成する外壁部１４と、この外壁部１４と内壁部１２とを連結する連結部１６とを備えており、これらの胴部４の内壁部１２、外壁部１４、及び連結部１６は互いに一体に形成されている。
【００１４】
つぎに、図１〜図３に示すように、便器本体２のリム部６は、ボウル面の一部であるリム内壁面を形成する内壁部（リム部内壁部）１８を備えている。
また、胴部４の内壁部１２の上端にリム部６の内壁部１８の下端が接合された状態では、ボウル部２０が形成され、このボウル部２０により便器本体２の内部にボウル面が形成されるようになっている。
さらに、胴部４とリム部６との接合部の詳細については後述するが、図１〜図３に示すように、胴部４の内壁部１２の上端にリム部６の内壁部１８の下端が接合された状態で、かつ、胴部４の外壁部１４の上端にリム部６の外縁が接合された状態では、ボウル部２０内に洗浄水を吐水するリム吐水部の一部として機能するリム通水路２２（詳細は後述する）が形成されるようになっている。
また、図１及び図３に示すように、便器本体２の胴部４は、ボウル部２０の下方に入口部２４ａが接続されて、ボウル部２０内の汚物を排出する排水路である排水トラップ管路２４を備えている。
【００１５】
ここで、図１及び図２に示す本発明の一実施形態による水洗大便器１においては、便器本体２のボウル部２０の平面視において、ボウル部２０を前後方向に二等分するように水平左右方向に延びる中心軸線を「Ｘ」で示し、ボウル部２０を左右方向に二等分するように水平前後方向に延びる中心軸線を「Ｙ」で示し、ボウル部２０の中心Ｏを通る鉛直方向に延びる中心軸線を「Ｚ」で示している。
また、図２に示すように、水洗大便器１の前後左右の方向については、「前」、「後」、「左」、「右」でそれぞれ示している。
そして、図１及び図２に示すように、水洗大便器１のボウル部２０における中心Ｏ、水平左右方向の中心軸線Ｘ、及び鉛直方向の中心軸線Ｚに対して、前方側、後方側のそれぞれの領域について、「前方側領域Ｆ」、「後方側領域Ｂ」とそれぞれ定義している。
さらに、図２に示すように、水洗大便器１のボウル部２０における中心Ｏ、水平前後方向の中心軸線Ｙに対して、前方から見て左側、右側のそれぞれの領域について、「左側領域Ｌ」、「右側領域Ｒ」とそれぞれ定義している。
【００１６】
つぎに、図１及び図２に示すように、胴部４とリム部６とが接合された状態におけるボウル部２０の前方側領域Ｆ内の右側領域Ｒのリム部６の内部には、リム吐水部の一部として機能するリム通水路２２が形成されている。
また、このリム通水路２２の下流端には、ボウル部２０内に洗浄水を後方に吐水して旋回流を形成するリム吐水部の一部として機能する単一のリム吐水口２６が形成されている。
すなわち、リム吐水部は、ボウル部２０のリム部６に設けられて洗浄水を吐水するリム吐水口２６をリム部６の全周において１つ形成し、このリム吐水口２６はボウル部２０の前方側領域Ｆ内の右側領域Ｒのリム部６に設けられて洗浄水を後方に吐水するものである。
さらに、図２に示すように、リム通水路２２の上流側は、導水管２８に接続されている。この導水管２８の上流側は、洗浄水源である水道（図示せず）に直結されており、この水道の給水圧力を利用して、導水管２８からリム通水路２２内に供給された洗浄水は、リム通水路２２内で前方へ導かれ、その後、内側且つ後方側に屈曲し、下流側のリム吐水口２６まで導かれるようになっている。
そして、リム吐水口２６に導かれた洗浄水は、後方に向けて吐水（リム吐水）され、ボウル部２０内を旋回することにより、ボウル部２０内に旋回流が形成されるようになっている。
なお、本実施形態の水洗大便器１においては、リム通水路２２がボウル部２０の右側領域Ｒのリム部６の内部に設けられていると共に、単一のリム吐水口２６がボウル部２０の前方側領域Ｆ且つ右側領域Ｒのリム部６の内周側に形成された形態について説明するが、このような形態に限られず、他の形態として、リム通水路２２がボウル部２０の左側領域Ｌのリム部６の内部に設けられていると共に、単一のリム吐水口２６がボウル部２０の前方側領域Ｆ且つ左側領域Ｌのリム部６の内周側に設けられて、リム吐水口２６から後方に向けて吐水（リム吐水）が行われるような形態であってもよい。
【００１７】
さらに、図１に示すように、ボウル部２０の底部には、排水トラップ管路２４の入口部２４ａに差し向けられるようにジェット吐水口３０が形成されており、このジェット吐水口３０からも給水系機能部（図示せず）からの吐水（ジェット吐水）が行われるようになっている。
なお、本実施形態による水洗大便器１においては、リム吐水口２６によるリム吐水について水道の給水圧力を利用して行い、ジェット吐水口３０によるジェット吐水について加圧ポンプ（図示せず）を制御することにより貯水タンク（図示せず）内の洗浄水を供給する、いわゆる、ハイブリット式の水洗大便器の形態について説明するが、このような形態に限られず、他の形態についても適用可能である。また、ジェット吐水口３０によるジェット吐水について省略した形態であってもよい。
【００１８】
つぎに、図１〜図１２を参照して、本発明の一実施形態による水洗大便器１のリム吐水部の詳細、及び、胴部４とリム部６との接合部の詳細について説明する。
まず、図４は、図２に示す本発明の一実施形態による水洗大便器の便器本体において、リム部の内部に形成されるリム通水路の部分を拡大した部分拡大平面図であり、図５は、本発明の一実施形態による水洗大便器の便器本体における胴部とリム部との接合面、及び、リム通水路の経路の傾斜について概略的に示す模式図である。
また、図６は、図２のＶＩ−ＶＩ線に沿った断面図であり、図７は、図２のＶＩＩ−ＶＩＩ線に沿った断面図であり、図８は、図２のＶＩＩＩ−ＶＩＩＩ線に沿った断面図であり、図９は、図２のＩＸ−ＩＸ線に沿った断面図である。
さらに、図１０は、図２のＸ−Ｘ線に沿った断面図であり、図１１は、図２のＸＩ−ＸＩ線に沿った断面図であり、図１２は、図２のＸＩＩ−ＸＩＩ線に沿った断面図である。
【００１９】
まず、図４及び図５に示すように、リム通水路２２は、導水管２８に接続される入口部２２ａからリム部６の内部を前方に向かって延びる外側部２２ｂと、この外側部２２ｂの下流端から内側に屈曲する屈曲部２２ｃと、この屈曲部２２ｃから後方に向かってリム吐水口２６まで延びる内側部２２ｄとを備えている。特に、図４に示すように、平面視におけるリム通水路２２の外側部２２ｂから屈曲部２２ｃを経て内側部２２ｄに差し掛かる区間では、いわゆる、Ｕ字形でターンした形状（いわゆる、「Ｕターン形状」）となっている。
また、図４に示すように、リム吐水口２６の下流側には、リム吐水部の一部としても機能する通水路３２が形成されている。
さらに、図５に示す便器本体２においては、胴部４の内壁部１２とリム部６の内壁部１８との接合面Ｓ１を実線で示しており、リム通水路２２の入口部２２ａから外側部２２ｂ、屈曲部２２ｃ、及び内側部２２ｄを経て、リム吐水口２６に至るリム通水路２２の底面Ｓ２が描く軌道を破線で概略的に示している。
【００２０】
つぎに、図４〜図１２に示すように、リム通水路２２を形成する胴部４の内壁部１２及びリム部６の内壁部１８の互いの接合面Ｓ１については、ボウル部２０の後方側から前方側に向かって低い位置に設定されている（特に、図５参照）。
また、リム通水路２２の外側部２２ｂの底面Ｓ２については、図６〜図８に示すように、胴部４の内壁部１８と外壁部１４とを連結する連結部１６の上面となっており、或いは、図９及び図１１に示すように、胴部４の内壁部１８と外壁部１４とを連結する連結部１６のうちの外側連結部１６ａの上面となっている。
さらに、リム通水路２２の屈曲部２ｃの底面Ｓ２については、図１０に示すように、胴部４の内壁部１２と外壁部１４とを連結する連結部１６の上面となっており、リム通水路２２の内側部２２ｄの底面Ｓ２については、図９及び図１１に示すように、胴部４の内壁部１２と外壁部１４とを連結する連結部１６のうちの内側連結部１６ｂの上面となっている。
これらのリム通水路２２の各部２２ａ〜２２ｄ及びリム吐水口２６の底面Ｓ２については、リム通水路２２の上流端（入口部２２ａ）から下流端（リム吐水口２６）に向かって低い位置に設定されており、入口部２２ａから外側部２２ｂ、屈曲部２２ｃ、及び内側部２２ｄを経て、リム吐水口２６に至るリム通水路２２の全経路が比較的長くなり易い経路であっても、リム通水路２２の入口部２２ａからリム吐水口２６までの流路に沿ってリム通水路２２の底面Ｓ２全体を傾斜角度α（図５参照）で大きく下り傾斜させることができるようになっている。
すなわち、図５に示すように、立面視におけるリム通水路２２の底面Ｓ２は、リム通水路２２の入口部２２ａからリム吐水口２６までの全区間において上流側から下流側の流路方向に向かって水平面に対して傾斜角度αで下り傾斜している。
なお、リム通水路２２の底面Ｓ２の傾斜角度αについては、例えば、１°以上に設定されていることが好ましく、３°以上に設定されていることが最も好ましい。
【００２１】
つぎに、図６〜図１２に示すように、胴部４の外壁部１４の上端とリム部６の上壁部３４との接合面Ｓ３は、胴部４の内壁部１２の上端とリム部６の内壁部１８の下端との接合面Ｓ１よりも上方に位置している。そして、胴部４とリム部６とが互いの接合面Ｓ１，Ｓ３で接合された状態では、リム通水路２２の外側部２２ｂは、リム部６の内壁部１８、外壁部３６、この外壁部３６と内壁部１８とを連結する連結部３８、及び、上壁部３４、並びに、胴部４の内壁部１２、外壁部１４及び連結部１６により取り囲まれることにより形成される。
また、図６〜図９に示すように、リム通水路２２の外側部２２ｂの底面Ｓ２のそれぞれの位置高さをＨ１〜Ｈ４とし、図１０に示すように、リム通水路２２の屈曲部２２ｃの底面Ｓ２の位置高さをＨ５とし、図１１に示すように、リム通水路２２のリム吐水口２６の底面Ｓ２の位置高さをＨ６とし、図１２に示すように、リム吐水口２６の下流側の通水路３２の位置高さをＨ７とすると、リム通水路２２の底面Ｓ２は、リム通水路２２の入口部２２ａからリム吐水口３６までの全区間において上流側から下流側に向かって水平面に対して傾斜角度αで下り傾斜しているため、リム通水路２２の屈曲部２２ｃの底面Ｓ２の位置高さは、図６に示す高さＨ１から、図７〜図１１に示す高さＨ２〜Ｈ６を経て、図１２に示す高さＨ７まで徐々に低くなる（Ｈ１＞Ｈ２＞Ｈ３＞Ｈ４＞Ｈ５＞Ｈ６＞Ｈ７）。
【００２２】
一方、図６〜図１２に示すように、胴部４の内壁部１２とリム部６の内壁部１８との接合面Ｓ１のそれぞれの位置高さをＧ１〜Ｇ７とすると、接合面Ｓ１の位置高さは、図６に示す高さＧ１から、図７及び図８にそれぞれ示す高さＧ２，Ｇ３を経て、図９に示す高さＧ４まで徐々に低くなる（Ｇ１＞Ｇ２＞Ｇ３＞Ｇ４）。また、図１０〜図１２にそれぞれ示す高さＧ５，Ｇ６，Ｇ７は、図９に示す高さＧ４となる（Ｇ４＝Ｇ５＝Ｇ６＝Ｇ７）。
また、図６〜図９に示すように、胴部４の内壁部１２において、リム通水路２２の外側部２２ｂの底面Ｓ２の高さ位置から接合面Ｓ１まで上方に突出する脚部４０の高さをそれぞれｔ１〜ｔ４とし、図１０に示すように、リム通水路２２の屈曲部２２ｃの底面Ｓ２の高さ位置から接合面Ｓ１まで上方に突出する脚部４０の高さをｔ５とし、図１１に示すように、リム通水路２２のリム吐水口２６の底面Ｓ２の高さ位置から接合面Ｓ１まで上方に突出する脚部４０の高さをｔ６とし、図１２に示すように、リム吐水口２６の下流側の通水路３２の底面Ｓ２の高さ位置から接合面Ｓ１まで上方に突出する脚部４０の高さをｔ７とすると、脚部４０の高さは、図６に示す高さｔ１から図９に示す高さｔ４までは同一となる（ｔ１＝ｔ２＝ｔ３＝ｔ４）。
しかしながら、脚部４０の高さは、図９に示す高さｔ４から、図１０〜図１２に示す高さｔ５〜ｔ７まで徐々に高くなる（ｔ４＜ｔ５＜ｔ６＜ｔ７）。
なお、図８に示す高さＧ３及び図９に示す高さＧ４については、互いの位置が近いため、同一であってもよく（Ｇ３＝Ｇ４）、この場合、図８に示す高さｔ３は、図９に示す高さｔ４よりも小さくなる（ｔ３＜ｔ４）。
このように脚部４０の高さを可変にする理由としては、リム通水路２２の全体がリム部６の内部の限られたスペースに形成されることにより、リム通水路２２内の流量を確保するために、外側部２２ｂから屈曲部２２ｃで内側部２２ｄに向かってＵターンで折り返す形状となり、リム通水路２２の全経路が比較的長くなり易く、リム通水路２２内の残水対策を兼ねて、リム通水路２２の底面Ｓ２を上流側から下流側に向かって可能な限り大きく下り傾斜させる必要がある。また、特に、リム通水路２２が外側部２２ｂから屈曲部２２ｃで内側部２２ｄに向かってＵターンで折り返した後の区間についても、リム通水路２２の底面Ｓ２がリム吐水口２６に向かって下り傾斜しているため、リム通水路２２の底面Ｓ２から接合面Ｓ１までの脚部４０の高さｔ１〜ｔ７をリム通水路２２の底面Ｓ２の位置高さＨ１〜Ｈ７に応じて変化させることにより、リム通水路２２の上流端（入口部２２ａ）から下流端（リム吐水口２６）までの流路に沿ったリム通水路２２の底面Ｓ２全体を可能な限り大きく下り傾斜させることができるようになっている。
例えば、本実施形態では、図６〜図９に示す脚部４０の高さｔ１〜ｔ４については、例えば、１ｍｍ〜６ｍｍに設定されていることが好ましく、２ｍｍ〜４ｍｍに設定されていることが最も好ましい。さらに、図１０に示す脚部４０の高さｔ５については、例えば、４ｍｍ〜１１ｍｍに設定されていることが好ましく、６ｍｍ〜８ｍｍに設定されていることが最も好ましい。
また、図１１に示す脚部４０の高さｔ６については、例えば、５ｍｍ〜１２ｍｍに設定されていることが好ましく、７ｍｍ〜９ｍｍに設定されていることが最も好ましい。
さらに、図１２に示す脚部４０の高さｔ７については、例えば、６ｍｍ〜１３ｍｍに設定されていることが好ましく、８ｍｍ〜１０ｍｍに設定されていることが最も好ましい。
【００２３】
また、図４、図１０及び図１１に示すように、リム通水路２２は、屈曲部２２ｃで屈曲した後の内側部２２ｄの区間において、その底面Ｓ２が、図１０及び図１１に示す立面視においてボウル部２０の内側に向かって水平面に対して傾斜角度βで下り傾斜した傾斜面を形成している。
これにより、リム通水路２２内の残水について、ボウル部２０の内側に向かって水平面に対して傾斜角度βで下り傾斜した傾斜面（底面Ｓ２）に沿ってボウル部２０の内側に差し向けながら、リム吐水口２６から効率良く且つ確実に排出させることができるようになっている。
なお、リム通水路２２の底面Ｓ２の傾斜角度βについては、例えば、１°〜１０°に設定されていることが好ましく、２°〜５°に設定されていることが最も好ましい。
【００２４】
さらに、上述したように、本実施形態では、図４に示す導水管２８の上流側が、洗浄水源である水道（図示せず）に直結されており、この水道の給水圧力を利用して、導水管２８からリム通水路２２内に洗浄水が給水されるものである。
したがって、リム通水路２２内の洗浄水の流量が比較的小さく、洗浄水源の給水圧力が影響し易いため、リム通水路２２内の洗浄水の流速を十分に確保するために、リム吐水口２６の高さ寸法ｄ（図１１参照）が比較的小さく設定されている。
ここで、リム吐水口２６の高さ寸法ｄについては、例えば、６ｍｍ〜２０ｍｍに設定されていることが好ましく、８ｍｍ１５ｍｍに設定されていることが最も好ましい。
【００２５】
つぎに、上述した本発明の一実施形態による水洗大便器１における作用について説明する。
まず、本発明の一実施形態による水洗大便器１によれば、リム通水路２２を形成する胴部４の内壁部１２及びリム部６の内壁部１８の互いの接合面Ｓ１が、ボウル部２０の後方側から前方側に向かって低い位置に設定されていると共に、胴部４の連結部１６により形成されるリム通水路２２の底面Ｓ２がリム通水路２２の上流端（入口部２２ａ）から下流端（リム吐水口２６）に向かって低い位置に設定されているため、リム通水路２２の上流端（入口部２２ａ）から下流端のリム吐水口２６までの流路に沿ってリム通水路２２の底面Ｓ２の全体を大きく下り傾斜させることができる。
したがって、リム通水路２２内の残水をリム吐水口２６から排出させる排出力を高めることができる。
【００２６】
つぎに、本実施形態による水洗大便器１によれば、リム通水路２２及びリム吐水口２６がボウル部２０の前方側領域Ｆ且つ右側領域Ｒに設けられたリム部６に形成されており、リム通水路２２が、その入口部２２ａからリム部６の内部を前方に向かって延びる外側部２２ｂと、この外側部２２ｂの下流端から内側に屈曲する屈曲部２２ｃと、この屈曲部２２ｃから後方に向かってリム吐水口２６まで延びる内側部２２ｄとを備えていることにより、リム通水路２２が比較的長くなり易い経路であっても、リム通水路２２の底面Ｓ２が、リム通水路２２の入口部２２ａから、外側部２２ｂ、屈曲部２２ｃ、及び内側部２２ｄを経て、リム吐水口２６に向かって低い位置に設定されているため、リム通水路２２の入口部２２ａからリム吐水口２６までの流路に沿ってリム通水路２２の底面Ｓ２の全体を大きく下り傾斜させることができる。
したがって、リム通水路２２内の残水をリム吐水口２６から確実に排出させることができる。
【００２７】
また、本実施形態による水洗大便器１によれば、リム通水路２２における屈曲部２２ｃで屈曲した後の内側部２２ｄの区間の底面Ｓ２が、ボウル部２０の内側に向かって傾斜角度βで下り傾斜している傾斜面を形成しているため、リム通水路２２内の残水を傾斜面（底面Ｓ２）に沿ってボウル部２０の内側に差し向けながら、リム吐水口２６から効率良く且つ確実に排出させることができる。
【００２８】
さらに、本実施形態による水洗大便器１によれば、図４に示す導水管２８の上流側が、洗浄水源である水道（図示せず）に直結されており、この水道の給水圧力を利用して、導水管２８からリム通水路２２内に洗浄水が給水されるものであることにより、リム通水路２２内の洗浄水の流量が比較的小さく、洗浄水源の給水圧力が影響し易いため、リム通水路２２内の洗浄水の流速を十分に確保するために、リム吐水口２６の高さ寸法ｄが比較的小さく設定されることになる。
したがって、リム吐水口２６における残水の排出力についても高めることができる。
【符号の説明】
【００２９】
１        水洗大便器
２        便器本体
４        胴部
６        リム部
８        汚物受け面
１０        棚面
１２        胴部の内壁部（胴部内壁部）
１４        胴部の外壁部
１６        胴部の内壁部と外壁部との連結部（連結部）
１６ａ      胴部の内壁部と外壁部との外側連結部（連結部）
１６ｂ      胴部の内壁部と外壁部との内側連結部（連結部）
１８        リム部の内壁部（リム部内壁部）
２０        ボウル部
２２        リム通水路（リム吐水部）
２２ａ      リム通水路の入口部
２２ｂ      リム通水路の外側部
２２ｃ      リム通水路の屈曲部
２２ｄ      リム通水路の内側部
２４        排水トラップ管路
２４ａ      入口部
２６        リム吐水口（リム吐水部）
２８        導水管
３０        ジェット吐水口
３２        通水路（リム吐水部）
３４        リム部の上壁部
３６        リム部の外壁部
３８        リム部の連結部
４０        脚部
Ｂ        ボウル部の後方側領域
ｄ        リム吐水口の高さ寸法
Ｇ１      胴部の内壁部とリム部の内壁部との接合面の位置高さ
Ｇ２      胴部の内壁部とリム部の内壁部との接合面の位置高さ
Ｇ３      胴部の内壁部とリム部の内壁部との接合面の位置高さ
Ｇ４      胴部の内壁部とリム部の内壁部との接合面の位置高さ
Ｇ５      胴部の内壁部とリム部の内壁部との接合面の位置高さ
Ｇ６      胴部の内壁部とリム部の内壁部との接合面の位置高さ
Ｇ７      胴部の内壁部とリム部の内壁部との接合面の位置高さ
Ｈ１      リム通水路の底面の位置高さ
Ｈ２      リム通水路の底面の位置高さ
Ｈ３      リム通水路の底面の位置高さ
Ｈ４      リム通水路の底面の位置高さ
Ｈ５      リム通水路の底面の位置高さ
Ｈ６      リム吐水口の底面の位置高さ
Ｈ７      リム吐水口の下流側の通水路の底面の位置高さ
Ｌ        ボウル部の左側領域
Ｆ        ボウル部の前方側領域
Ｏ        ボウル部の中心
Ｒ        ボウル部の右側領域
Ｓ１      胴部の内壁部とリム部の内壁部との接合面
Ｓ２      リム通水路の底面
Ｓ３      胴部の外壁部とリム部の外側接合部との接合面
ｔ１      脚部の高さ
ｔ２      脚部の高さ
ｔ３      脚部の高さ
ｔ４      脚部の高さ
ｔ５      脚部の高さ
ｔ６      脚部の高さ
ｔ７      脚部の高さ      
Ｘ        ボウル部の水平左右方向の中心軸線
Ｙ        ボウル部の水平前後方向の中心軸線
Ｚ        ボウル部の中心を通る鉛直方向の中心軸線
α        リム通水路の底面の流路方向に向かって下り傾斜する傾斜角度
β        リム通水路の底面のボウル部の内側に向かって下り傾斜する傾斜角度
【図１】
2018080504.tif 000003
【図２】
2018080504.tif 000004
【図３】
2018080504.tif 000005
【図４】
2018080504.tif 000006
【図５】
2018080504.tif 000007
【図６】
2018080504.tif 000008
【図７】
2018080504.tif 000009
【図８】
2018080504.tif 000010
【図９】
2018080504.tif 000011
【図１０】
2018080504.tif 000012
【図１１】
2018080504.tif 000013
【図１２】
2018080504.tif 000014